(57)【要約】      （修正有）【課題】消毒すべき構成要素の表面を効率的かつ効果的に消毒するための消毒システム及び方法の提供。【解決手段】紫外線（ＵＶ）光消毒システム１００は取り囲まれた空間１０２内の少なくとも１つの表面を消毒するように構成され、取り囲まれた空間１０２に連結された収容チャンバ１２４内に収容される収容位置と収容チャンバ１２４から出て取り囲まれた空間１０２の中へ展開される展開位置との間で選択的に移動可能かつ展開位置で回転可能なＵＶ光アセンブリ１１６を含み、取り囲まれた空間内１０２に個人の存在を検出するように構成された存在センサ１３０を備える消毒システム。【選択図】図１
2018069028.tif 000002
【特許請求の範囲】
【請求項１】
取り囲まれた空間内の少なくとも１つの表面を消毒するように構成された紫外線（ＵＶ）光消毒システム（１００）であって、
収容位置と展開位置との間で選択的に移動可能なＵＶ光アセンブリ（１１６）であって、前記収容位置では、前記取り囲まれた空間に連結された収容チャンバ内に収容され、前記展開位置では、前記収容チャンバから出て前記取り囲まれた空間の中へ展開される、ＵＶ光アセンブリ（１１６）を備える、ＵＶ光消毒システム（１００）。
【請求項２】
前記ＵＶ光アセンブリ（１１６）が、
ハウジング（１１７）、
前記ハウジング（１１７）の少なくとも一部分を取り囲むシールド（５００）であって、電磁干渉を遮断するように構成された、シールド（５００）、
ＵＶ発光体（１１８）、及び
前記ＵＶ発光体（１１８）の少なくとも一部分を取り囲むケージ（５０２）を備える、請求項１に記載のＵＶ光消毒システム（１００）。
【請求項３】
前記ＵＶ光アセンブリ（１１６）と動作可能に連結されたアクチュエータ（１２０）であって、前記収容位置と前記展開位置との間で前記ＵＶ光アセンブリ（１１６）を移動させるように構成された、アクチュエータ（１２０）を更に備える、請求項１又は２に記載のＵＶ光消毒システム。
【請求項４】
前記ＵＶ光アセンブリ（１１６）と通信するＵＶ光制御ユニット（１２８）であって、前記収容位置と前記展開位置との間での前記ＵＶ光アセンブリ（１１６）の動きを制御するように構成され、前記ＵＶ光アセンブリ（１１６）が前記少なくとも１つの表面へ消毒ＵＶ光を放射する消毒サイクルの間に、前記ＵＶ光アセンブリ（１１６）を操作するように構成された、ＵＶ光制御ユニット（１２８）を更に備える、請求項１から３のいずれか一項に記載のＵＶ光消毒システム（１００）。
【請求項５】
前記取り囲まれた空間内の１以上の存在センサ（１３０）であって、前記取り囲まれた空間内の個人の存在を検出するように構成された、存在センサ（１３０）を更に備える、請求項１から４のいずれか一項に記載のＵＶ光消毒システム（１００）。
【請求項６】
前記ＵＶ光アセンブリ（１１６）が、前記展開位置と前記収容位置との間で、直線的に、回転可能に、又は旋回可能に移動される、請求項１から５のいずれか一項に記載のＵＶ光消毒システム（１００）。
【請求項７】
前記ＵＶ光アセンブリ（１１６）が、消毒サイクルの間に前記展開位置で、長手方向軸の周りで回転可能に移動され、又は端部の周りで旋回可能に移動される、請求項１から６のいずれか一項に記載のＵＶ光消毒システム（１００）。
【請求項８】
取り囲まれた空間内の少なくとも１つの表面を消毒するように構成された紫外線（ＵＶ）光消毒方法であって、
収容位置と展開位置との間でＵＶ光アセンブリ（１１６）を選択的に移動させることであって、前記収容位置では、前記取り囲まれた空間に連結された収容チャンバ（１２４）内に前記ＵＶ光アセンブリ（１１６）を収容すること、及び、前記展開位置では、前記ＵＶ光アセンブリ（１１６）を、前記収容チャンバ（１２４）から出して前記取り囲まれた空間の中へ展開させることを含む、移動させることを含む、ＵＶ光消毒方法。
【請求項９】
前記ＵＶ光アセンブリ（１１６）のハウジング（１１７）の少なくとも一部分を取り囲むシールド（５００）を用いて、前記ＵＶ光アセンブリ（１１６）のＵＶ発光体（１１８）によって生成される電磁干渉を遮断すること、及び
前記ＵＶ発光体（１１８）の少なくとも一部分を取り囲むケージ（５０２）を通して、前記ＵＶ発光体（１１８）から消毒ＵＶ光を放射することを更に含む、請求項８に記載のＵＶ光消毒方法。
【請求項１０】
前記ＵＶ光アセンブリ（１１６）と動作可能に連結されたアクチュエータ（１２０）を使用して、前記収容位置と前記展開位置との間で、前記ＵＶ光アセンブリ（１１６）を移動させることを更に含む、請求項８又は９に記載のＵＶ光消毒方法。
【請求項１１】
ＵＶ光制御ユニット（１２８）を前記ＵＶ光アセンブリ（１１６）と通信可能に接続すること、
前記ＵＶ光制御ユニット（１２８）を用いて、前記ＵＶ光アセンブリ（１１６）の動きを制御すること、及び
消毒サイクルの間に、前記ＵＶ光制御ユニット（１２８）を介して、前記ＵＶ光アセンブリ（１１６）を操作し、前記少なくとも１つの表面に消毒ＵＶ光を放射することを更に含む、請求項８から１０のいずれか一項に記載のＵＶ光消毒方法。
【請求項１２】
内部客室（６３０）、
前記内部客室（６３０）内の洗面所（１０２）であって、便器（２００）及びシンク（２０４）を支持する床（１０４）を備えた、洗面所（１０２）、並びに
前記床（１０４）、前記便器（２００）、又は前記シンク（２０４）のうちの少なくとも１つの表面を消毒するように構成された少なくとも１つの紫外線（ＵＶ）光消毒システム（１００）を備えた、航空機（６００）であって、前記少なくとも１つのＵＶ光消毒システム（１００）が、
収容位置と展開位置との間で選択的に移動可能なＵＶ光アセンブリ（１１６）であって、前記収容位置では、前記洗面所（１０２）に連結された収容チャンバ（１２４）内に収容され、前記展開位置では、前記収容チャンバ（１２４）を出て前記洗面所（１０２）の中へ展開され、前記収容位置よりも前記展開位置で前記少なくとも１つの表面に近く、前記展開位置と前記収容位置との間で直線的に又は回転可能に移動され、（ａ）ハウジング（１１７）、（ｂ）前記ハウジング（１１７）の少なくとも一部分を取り囲み且つ電磁干渉を遮断するように構成されたシールド（５００）、（ｃ）ＵＶ発光体（１１８）、及び（ｄ）前記ＵＶ発光体（１１８）の少なくとも一部分を取り囲むケージ（５０２）を備えた、ＵＶ光アセンブリ（１１６）、
前記ＵＶ光アセンブリ（１１６）と動作可能に連結されたアクチュエータ（１２０）であって、前記収容位置と前記展開位置との間で前記ＵＶ光アセンブリ（１１６）を移動させるように構成された、アクチュエータ（１２０）、
前記ＵＶ光アセンブリ（１１６）と通信するＵＶ光制御ユニット（１２８）であって、前記収容位置と前記展開位置との間での前記ＵＶ光アセンブリ（１１６）の動きを制御するように構成され、前記ＵＶ光アセンブリ（１１６）が前記少なくとも１つの表面に消毒ＵＶ光を放射する消毒サイクルの間に、前記ＵＶ光アセンブリ（１１６）を操作するように構成され、前記ＵＶ光アセンブリ（１１６）が、前記消毒サイクルの間に前記展開位置で、長手方向軸の周りで回転可能に移動され、又は端部の周りで旋回可能に移動される、ＵＶ光制御ユニット（１２８）、並びに
前記洗面所（１０２）内にあり前記ＵＶ光制御ユニット（１２８）と通信する１以上の存在センサ（１３０）であって、前記洗面所（１０２）内の個人の存在を検出するように構成され、前記洗面所（１０２）が個人によって使用されているときに、前記ＵＶ光制御ユニット（１２８）が、前記ＵＶ光アセンブリ（１１６）を前記収容位置に維持する、存在センサ（１３０）を備える、航空機（６００）。
【発明の詳細な説明】
【技術分野】
【０００１】
本開示の実施例は、広くは、紫外線光消毒システム及び方法に関し、特に、航空機の洗面所内などで使用され得る、展開可能な紫外線光消毒システム及び方法に関する。
【背景技術】
【０００２】
民間航空機は、様々な場所の間で乗客を輸送するために使用されている。通常の民間航空機は、内部客室内に１以上の洗面所を含む。
【０００３】
紫外線（ＵＶ）光を使用して航空機の洗面所内の表面を消毒又はさもなければ殺菌するシステムが、現在、開発されている。例えば、遠ＵＶ光は、洗面所内の露出された表面を効果的に殺菌することが分かってきた。
【０００４】
洗面所内の表面を効果的に消毒するために、ＵＶ光アセンブリが表面の近傍に固定され得る。例えば、ＵＶ光アセンブリは、洗面所内の便器から１フィート未満だけ間隔を空けて配置され得る。しかし、理解され得るように、構成要素の近傍にＵＶ光アセンブリを配置することは、構成要素の使用と干渉し得る。概して、ＵＶ光アセンブリは、航空機の洗面所の閉鎖空間の中へ不必要に突出し得る。
【０００５】
別の選択肢として、遠ＵＶランプは、構成要素の使用と干渉しないように、構成要素から更に離れた位置へ固定され得る。しかし、構成要素を効果的に消毒するために、特定の大きさを有する量の光エネルギーが必要である。多くの光源では、例えば、空気による光の消散及び吸収のために、光エネルギーは光源の近傍で最も大きい。したがって、ＵＶ光アセンブリに供給される電力は、通常、構成要素との距離が増加すると大きくなる。
【発明の概要】
【０００６】
構成要素の表面を効率的且つ効果的に消毒するためのシステム及び方法が必要である。個人による構成要素の使用と干渉しないで、その構成要素を消毒するように、ＵＶ光アセンブリを操作するためのシステム及び方法が必要である。
【０００７】
それらの必要性を考慮して、本開示の特定の実施例は、取り囲まれた空間内の少なくとも１つの表面を消毒するように構成された、紫外線（ＵＶ）光消毒システムを提供する。ＵＶ光消毒システムは、収容位置と展開位置との間で選択的に移動可能なＵＶ光アセンブリを含む。ＵＶ光アセンブリは、収容位置では、取り囲まれた空間に連結された収容チャンバ内に収容される。ＵＶ光アセンブリは、展開位置では、収容チャンバから出て取り囲まれた空間の中へ展開される。
【０００８】
ＵＶ光アセンブリは、収容位置よりも展開位置で（１以上の）表面に近い。少なくとも１つの実施例において、ＵＶ光アセンブリは、取り囲まれた空間が個人によって使用されているときに、収容位置にあるままである。
【０００９】
ＵＶ光アセンブリは、ハウジング、及びハウジングの少なくとも一部分を取り囲むシールドを含み得る。シールドは、電磁干渉を遮断するように構成されている。ＵＶ光アセンブリは、ＵＶ発光体も含み得る。ケージ（ｃａｇｅ）が、ＵＶ発光体の少なくとも一部分を取り囲み得る。
【００１０】
少なくとも１つの実施例では、アクチュエータが、ＵＶ光アセンブリと動作可能に連結され得る。アクチュエータは、収容位置と展開位置との間でＵＶ光アセンブリを移動させるように構成されている。
【００１１】
少なくとも１つの実施例では、ＵＶ光制御ユニットが、ＵＶ光アセンブリと通信する。ＵＶ光制御ユニットは、収容位置と展開位置との間でのＵＶ光アセンブリの動きを制御するように構成されている。ＵＶ光制御ユニットは、ＵＶ光アセンブリが（１以上の）表面へ消毒ＵＶ光を放射する、消毒サイクルの間に、ＵＶ光アセンブリを操作するように構成されている。
【００１２】
ＵＶ光消毒システムは、取り囲まれた空間内に１以上の存在センサを含み得る。存在センサは、取り囲まれた空間内の個人の存在を検出するように構成されている。
【００１３】
ＵＶ光アセンブリは、展開位置と収容位置との間で直線的に移動され得る。任意選択的に、ＵＶ光アセンブリは、展開位置と収容位置との間で回転可能又は旋回可能に移動され得る。これに関して、ＵＶ光アセンブリは、１以上の軸又は自由度を有する機構によって、展開位置と収容位置との間で移動され得ることが理解されるだろう。
【００１４】
少なくとも１つの実施例では、ＵＶ光アセンブリが、消毒サイクルの間に展開位置で長手方向軸の周りで回転可能に移動される。任意選択的に、ＵＶ光アセンブリは、消毒サイクルの間に展開位置で端部の周りで旋回可能に移動され得る。
【００１５】
本開示の特定の実施例は、取り囲まれた空間内の少なくとも１つの表面を消毒するように構成された、ＵＶ光消毒方法を提供する。ＵＶ光消毒方法は、収容位置と展開位置との間でＵＶ光アセンブリを選択的に移動させることを含む。選択的に移動させることは、収容位置では、取り囲まれた空間に連結された収容チャンバ内にＵＶ光アセンブリを収容すること、及び、展開位置では、ＵＶ光アセンブリを収容チャンバから出して取り囲まれた空間の中へ展開させることを含む。
【００１６】
本開示の特定の実施例は、内部客室、及び内部客室内の洗面所を含む、航空機を提供する。洗面所は、便器とシンクを支持する床を含む。少なくとも１つの紫外線（ＵＶ）光消毒システムが、床、便器、又はシンクのうちの少なくとも１つを消毒するように構成されている。
【図面の簡単な説明】
【００１７】
【図１】本開示の一実施例による、取り囲まれた空間のための紫外線光消毒システムの概略図を示す。
【図２】本開示の一実施例による、洗面所の内部斜視図を示す。
【図３】本開示の一実施例による、ＵＶ光アセンブリが収容位置にある、洗面所の内部斜視図を示す。
【図４】本開示の一実施例による、ＵＶ光アセンブリが展開位置にある、洗面所の内部斜視図を示す。
【図５】本開示の一実施例による、ＵＶ光アセンブリの側面斜視図を示す。
【図６】本開示の一実施例による、ＵＶ光アセンブリの端面斜視図を示す。
【図７】本開示の一実施例による、ＵＶ光アセンブリの端面図を示す。
【図８】本開示の一実施例による、ＵＶ光アセンブリが展開位置にある、洗面所の内部斜視図を示す。
【図９】本開示の一実施例による、ＵＶ光アセンブリが展開位置にある、洗面所の内部斜視図を示す。
【図１０】本開示の一実施例による、ＵＶ光アセンブリが収容位置にある、洗面所の内部斜視図を示す。
【図１１】本開示の一実施例による、ＵＶ光アセンブリが展開位置にある、洗面所の内部斜視図を示す。
【図１２】本開示の一実施例による、ＵＶ光アセンブリが展開位置にある、洗面所の内部斜視図を示す。
【図１３】本発明の一実施例による、航空機の上面斜視図を示す。
【図１４】本開示の一実施例による、航空機の内部客室の上面図を示す。
【図１５】本開示の一実施例による、航空機の内部客室の上面図を示す。
【図１６】本開示の一実施例による、取り囲まれた空間内の１以上の表面を消毒する方法のフローチャートを示す。
【発明を実施するための形態】
【００１８】
上記の概要、及び特定の実施例の以下の詳細な説明は、添付の図面を参照して読むことにより、より深く理解される。本明細書で使用される「一（ａ）」又は「１つの（ａｎ）」に続く単数形の要素又はステップは、複数の当該要素又はステップを必ずしも除外しないものと理解されたい。更に、「一実施例」への言及は、追加の実施例の存在を除外すると解釈されることを意図せず、それら追加の実施例もまた、本明細書に記載の特徴を内包する。更に、逆に明示的に記述されない限り、特定の性質を有する１以上の要素を「備える」、「含む」、又は「有する」実施例は、その性質を有しない追加の要素を含み得る。
【００１９】
本開示の特定の実施例は、消毒サイクルの間にＵＶ光アセンブリを展開させるためのシステム及び方法を提供する。少なくとも１つの実施例では、該システムが、航空機の洗面所内の便器又はシンクなどの構成要素へ遠ＵＶ光を放射するように構成された、関節接合する（ａｒｔｉｃｕｌａｔｉｎｇ）シールドされたＵＶランプを含む。ＵＶランプは、洗面所内に個人がいるときなど、使用されないときには、収容位置に固定されている。
【００２０】
消毒サイクルが開始されたときに、ＵＶ光アセンブリは、洗面所内の壁を通って形成された開口部を通って展開される。ＵＶ光アセンブリは、ＵＶ光が（便器などの）構成要素に放射される展開位置の中へ作動される。少なくとも１つの実施例では、ＵＶ光アセンブリが、ＵＶ発光体の少なくとも一部分を覆って及び／又はその周りに配置された、ファラデーケージ又はスクリーンなどのシールドを含む。シールドは、さもなければＵＶ発光体によって生成され得る、電磁干渉（ＥＭＩ）を低減させるように構成されている。展開位置では、ＵＶアセンブリが、消毒される構成要素の近傍、例えば、１〜５インチの間の距離などにあるが、その距離はより短くても又は長くてもよい。展開位置では、収容位置と比較して、ＵＶ光アセンブリが、消毒されるべき構成要素の近くにある。消毒されるべき構成要素の近傍にＵＶ光アセンブリを配置することによって、消毒サイクルの全体の時間が低減される。
【００２１】
本開示の特定の実施例は、モニュメント（ｍｏｎｕｍｅｎｔ）内の又はモニュメントに連結されたチャンバ内に収容可能な、ＵＶ光アセンブリを含む消毒システムを提供する。消毒システムは、アーム、ブラケット、ビーム、又は他のそのようなリンクなどの、関節（ａｒｔｉｃｕｌａｒ）を介して、ＵＶ光アセンブリと動作可能に連結されたアクチュエータを含み得る。任意選択的に、アクチュエータは、個別の関節を使用することなしに、ＵＶ光アセンブリと直接的に連結され得る。消毒サイクルが開始されると、アクチュエータは、ＵＶ光アセンブリを、ＵＶ光アセンブリが消毒されるべき表面の近傍にある展開位置へ展開させる。表面は、航空機の洗面所内の床、便器、シンクなどの構成要素の一部分であり得る。少なくとも１つの実施例において、ＵＶ光アセンブリは、（洗面所などの）モニュメントが個人によって使用されているときに、起動解除され且つ収容位置にある。
【００２２】
本開示の特定の実施例は、洗面所のドアを閉めること、洗面所の内部が使用されていないと判定すること、収容チャンバからＵＶ光アセンブリを展開させること、ＵＶ光アセンブリを表面の近傍に配置すること、及び所定の消毒時間だけＵＶ光アセンブリから表面にＵＶ光を放射することを含む、洗面所内の表面を消毒する方法を提供する。消毒時間が完了した際に、該方法は、ＵＶ光アセンブリを収容チャンバの中へ収容することも含み得る。
【００２３】
図１は、本開示の一実施例による、取り囲まれた空間１０２のためのＵＶ光消毒システム１００の概略図を示す。取り囲まれた空間１０２は、床１０４、天井１０６、及び床１０４と天井１０６との間で延在する壁１０８によって画定され得る。ドア１１０は、壁１０８のうちの１つと可動に固定され得る。ドア１１０は、ドア１１０を閉じた位置にしっかりとロックするように構成された、錠１１２を含む。錠１１２がロックされた位置にあるときに、ドア１１０は、開くことができない。錠１１２がロックされていない位置にあるときに、ドア１１０は、開くことができる。取り囲まれた空間１０２は、民間航空機に搭載された閉鎖空間であり得る。例えば、取り囲まれた空間１０２は、航空機に搭載された洗面所であり得る。別の一実施例として、取り囲まれた空間１０２は、航空機に搭載された調理室であり得る。更に別の一実施例として、取り囲まれた空間１０２は、航空機に搭載された客室であり得る。取り囲まれた空間１０２は、ドア１１０を含んでもよいし又は含まなくてもよい。取り囲まれた空間１０２は、様々な他の輸送体、構造物などの範囲内にあり得る。例えば、取り囲まれた空間１０２は、民間、行政、若しくは住居のための建物内にある部屋であり、又は列車、バス、船舶などに搭載された部屋であり得る。
【００２４】
取り囲まれた空間１０２は、使用後に消毒（例えば、殺菌、滅菌、又はさもなければ洗浄）されるべき、少なくとも１以上の構造物１１４を含む。例えば、構造物１１４は、航空機の洗面所内の便器、シンク、床、キャビネットなどであり得る。
【００２５】
ＵＶ光消毒システム１００は、ハウジング１１７及びＵＶ発光体１１８を含む、ＵＶ光アセンブリ１１６を含む。ＵＶ発光体１１８は、（１以上の）アーク灯、（１以上の）レーザ、（１以上の）発光ダイオード（ＬＥＤ）、（１以上の）マイクロフィラメント、（１以上の）光ファイバー素子、（１以上の）電球などの、１以上のＵＶ光素子を含み得る。少なくとも１つの実施例では、消毒ＵＶ光が遠ＵＶ光である。代替的に、消毒ＵＶ光は、ＵＶＡ光、ＵＶＢ光、ＵＶＣ光、真空ＵＶ光などであり得る。少なくとも１つの実施例では、ＵＶ光アセンブリ１１６は、異なるＵＶ帯域（例えば、異なる波長及び異なる周波数）を有するＵＶ光を放射するように構成された、ＵＶ光素子を含み得る。例えば、１つのＵＶ光素子は、遠ＵＶ光を放射するように構成され、一方、別の１つのＵＶ光素子は、ＵＶＣ光を放射するように構成され得る。
【００２６】
アクチュエータ１２０が、関節接合器（ａｒｔｉｃｕｌａｔｏｒ）１２２を介して、ＵＶ光アセンブリ１１６と動作可能に連結され得る。アクチュエータ１２０は、（図１で示された）収容位置と展開位置との間で選択的にＵＶ光アセンブリ１１６を移動させるように構成された、電気モータ、空気圧モータ、油圧モータ、１以上のソレノイド、１以上のピストンなどであり得る。展開位置では、ＵＶ発光体１１８が、消毒されるべき構成要素１１４の表面の近傍（例えば、１〜５インチの間）にある。
【００２７】
関節接合器１２２は、アクチュエータ１２０をＵＶ光アセンブリ１１６と動作可能に連結させる、アーム、ブラケット、ビームなどであり得る。例えば、関節接合器１２２は、ＵＶ光アセンブリ１１６をしっかりと連結させるエンドエフェクタを有する、ロボットアームであり得る。任意選択的に、アクチュエータは、分離した個別の関節接合器を使用することなしに、ＵＶ光アセンブリと直接的に連結され得る。
【００２８】
収容位置では、ＵＶ光アセンブリ１１６が、取り囲まれた空間１０２の壁１０８に連結された収容チャンバ１２４内に配置される。（孔、チャネル、又は他のそのような開口部などの）開口部１２６は、壁１０８を通して形成され、収容チャンバ１２４に連結される。任意選択的に、収容チャンバ１２４は、示されているものとは異なる他の壁１０８、天井１０６、又は床１０４内に形成され得る。
【００２９】
ＵＶ光制御ユニット１２８は、１以上の有線又は無線接続を介するなどして、アクチュエータ１２０及びＵＶ光アセンブリ１１６に接続され、それらと通信する。ＵＶ光制御ユニット１２８は、取り囲まれた空間１０２内に配置され若しくはそれと連結され、又はそれから遠隔に配置され得る。少なくとも１つの実施例では、ＵＶ光制御ユニット１２８が、ＵＶ光アセンブリ１１６内に収容される。ＵＶ光制御ユニット１２８は、アクチュエータ１２０とＵＶ光アセンブリ１１６の動作を制御して、ＵＶ光アセンブリ１１６を展開位置と収容位置の中へ選択的に展開させたり収容したりするように構成されている。
【００３０】
１以上の存在センサ１３０が、取り囲まれた空間１０２内に固定され得る。存在センサ１３０は、取り囲まれた空間内の個人の存在を検出するように構成された、超音波センサ、赤外線センサ、熱センサなどであり得る。少なくとも１つの実施例では、少なくとも１つの存在センサ１３０が、取り囲まれた空間１０２内の質量又は重量の認識可能な検出を介して個人の存在を検出する、デジタルスケールであり得る。存在センサ１３０は、１以上の有線又は無線接続を介して、ＵＶ光制御ユニット１２８と通信する。存在センサ１３０から受信された存在信号に基づいて、ＵＶ光制御ユニット１２８は、取り囲まれた空間１０２内に個人がいるか否かを判定する。ＵＶ光制御ユニット１２８が、取り囲まれた空間内に個人がいると判定したときに、ＵＶ光制御ユニット１２８は、ＵＶ光アセンブリ１１６を展開させて消毒サイクルを起動することを差し控える。
【００３１】
任意選択的に、取り囲まれた空間１０２は、存在センサ１３０を含まなくてもよい。代わりに、ＵＶ光制御ユニット１２８は、錠１１２及び／又は構成要素１１４と通信することなどによって、取り囲まれた空間が使用されていないと判定するように構成され得る。例えば、ＵＶ光制御ユニット１２８は、ドア１１０がロックされたときに、取り囲まれた空間１０２が使用されていると判定し得る。ＵＶ光制御ユニット１２８は、構成要素１１４が使用されたこと、ドアがロック解除されたこと、及びその後にドアが閉じられたことによってトリガされ得る一連のイベントに基づいて、消毒サイクルを開始し得る。消毒サイクルの間に、ＵＶ光アセンブリ１１６が、展開位置の中へ移動され、取り囲まれた空間１０２内の表面にＵＶ光を放射しているときに、ＵＶ光制御ユニット１２８は、取り囲まれた空間１０２に個人が入り得ないように、ドア１１０がロックされていることを確実にし得る。消毒サイクルが完了した際に、ＵＶ光制御ユニット１２８は、ＵＶ発光体１１８を起動解除し、アクチュエータ１２０を操作して、ＵＶ光アセンブリ１１６を収容チャンバ１２４の中へ戻し、その後、ドア１１０のロックを解除する。少なくとも１つの実施例では、消毒サイクルの間に、ドア１１０が開かれたならば及び／又は存在センサ１３０が取り囲まれた空間１０２内の個人の存在を検出したならば、ＵＶ光制御ユニット１２８は、ＵＶ光アセンブリ１１６の動作を直ちに止め、ＵＶ光アセンブリ１１６を収容位置へ戻すことができる。
【００３２】
述べられているように、動作では、取り囲まれた空間が使用されていないときに、消毒サイクルの間に、ＵＶ光制御ユニット１２８が、アクチュエータ１２０を操作して、ＵＶ光アセンブリを展開位置へ展開させ、ＵＶ発光体１１８を起動する。消毒サイクルに関するデータが、ＵＶ光制御ユニット１２８内の又はそれに連結されたものなどの、メモリ内に記憶される。消毒サイクルが完了した際に、ＵＶ光制御ユニット１２８は、ＵＶ発光体１１８を起動解除し、アクチュエータ１２０を操作して、ＵＶ光アセンブリ１１６を収容チャンバ１２４の中へ戻す。
【００３３】
ＵＶ光制御ユニット１２８は、（ドア１１０がロック及びロック解除された時の後毎、及び／又は存在センサ１３０が取り囲まれた空間１０２から個人が離れたことを検出した時の後毎などの）取り囲まれた空間の各使用の後毎に、消毒サイクルを開始し得る。任意選択的に、消毒サイクルは、２回毎、３回毎、４回毎、５回毎、又はｎ回毎の使用の後などの、取り囲まれた空間１０２の使用の所定の回数毎の後に開始され得る。
【００３４】
ＵＶ光制御ユニット１２８は、（航空機に搭乗しているフライトアテンダントなどの）個人が消毒サイクルを開始することを可能にする、コンピューティングデバイス（例えば、コンピュータ、手で握ることができる高性能デバイス、専用制御パネルなど）などの、ユーザインターフェース１４０とも通信し得る。任意選択的に、ＵＶ光消毒システム１００は、ユーザインターフェース１４０を含まなくてもよい。
【００３５】
ＵＶ光消毒システム１００は、単一のＵＶ光アセンブリ１１６と共に示されているが、アクチュエータと動作可能に連結され、収容位置と展開位置との間で選択的に移動可能な、更なるＵＶ光アセンブリが使用され得る。例えば、ＵＶ光消毒システム１００は、ＵＶ光制御ユニット１２８と通信する、２つ、３つ、４つ、又はそれを上回る数の展開可能なＵＶ光アセンブリとそれぞれのアクチュエータを含み得る。各ＵＶ光アセンブリは、取り囲まれた空間１０２内の異なる（又は同じ）表面を消毒するように構成され得る。例えば、１つのＵＶ光アセンブリは、便器の表面を消毒するように構成され、別の１つのＵＶ光アセンブリは、シンクを消毒するように構成され、一方、更に別の１つのＵＶ光アセンブリは、床１０４の少なくとも一部分を消毒するように構成され得る。
【００３６】
説明されるように、ＵＶ光アセンブリ１１６は、収容位置と展開位置との間で選択的に移動可能である。ＵＶ光アセンブリ１１６は、収容位置にあるときに、取り囲まれた空間１０２に連結された収容チャンバ１２４内に収容される。ＵＶ光アセンブリ１１６は、展開位置では、収容チャンバ１２４から出て、取り囲まれた空間１０２の中へ展開される。
【００３７】
本明細書で使用される際に、「制御ユニット」、「中央処理装置」、「ＣＰＵ」、「コンピュータ」などという用語は、マイクロコントローラ、縮小指示命令セットコンピュータ（ＲＩＳＣ）、特定用途向け集積回路（ＡＳＩＣ）、論理回路、及び、本明細書で説明される機能を実行することが可能なハードウェア、ソフトウェア、又はそれらの組み合わせを含む任意の他の回路又はプロセッサを使用するシステムを含む、任意のプロセッサベース又はマイクロプロセッサベースのシステムを含み得る。上述したものは例示的なものに過ぎず、したがって、そのような用語の定義及び／又は意味を何らかのやり方で限定することを意図していない。例えば、上述されたように、ＵＶ制御ユニット１２８は、ＵＶ光アセンブリ１１６とアクチュエータ１２０の動作を制御するように構成された、１以上のプロセッサであり又はそれらを含み得る。
【００３８】
ＵＶ光制御ユニット１２８は、データを処理するために、（１以上のメモリなどの）１以上のデータ記憶ユニット又は素子内に記憶された、一組の指示命令を実行するように構成されている。例えば、ＵＶ光制御ユニット１２８は、１以上のメモリを含み又はそれらに接続され得る。データ記憶ユニットは、所望又は必要に応じて、データ又は他の情報も記憶し得る。データ記憶ユニットは、情報ソース、又は処理マシン内の物理メモリ要素という形態を採り得る。
【００３９】
一組の指示命令は、ＵＶ光制御ユニット１２８が、処理マシンとして、本明細書で説明される主題の様々な実施例の方法及びプロセスなどの、特定の動作を実行するように指示命令する、様々なコマンドを含み得る。一組の指示命令は、ソフトウェアプログラムの形態を採ってもよい。ソフトウェアは、システムソフトウェア又はアプリケーションソフトウェアなどの様々な形態を採り得る。更に、ソフトウェアは、分離したプログラムの集合、より大きなプログラム内のプログラムサブセット、又はプログラムの一部分の形態を採り得る。ソフトウェアは、オブジェクト指向プログラミングの形態を採るモジュラープログラミングも含み得る。処理マシンによる入力データの処理は、ユーザのコマンドに応じ、又は、従前の処理の結果に応じ、又は、別の処理マシンによってなされた要求に応ずるものであり得る。
【００４０】
本明細書の実施例の図面は、ＵＶ光制御ユニット１２８などの１以上の制御又は処理ユニットを示し得る。処理又は制御ユニットは、本明細書で説明される動作を実行する、関連する指示命令（例えば、コンピュータハードドライブ、ＲＯＭ、ＲＡＭなどの、有形且つ非一過性のコンピュータ可読記憶媒体に記憶されたソフトウェア）を含むハードウェアとして実装され得る、回路、電気回路、又はそれらの部分を表し得ることが、理解されるべきである。そのようなハードウェアは、本明細書に記載の機能を実行するようハードワイヤード（ｈａｒｄｗｉｒｅｄ）されたステートマシン（ｓｔａｔｅ  ｍａｃｈｉｎｅ）回路を含み得る。任意選択的に、ハードウェアは、マイクロプロセッサ、プロセッサ、コントローラなどの、１以上の論理ベースのデバイスを含み及び／又はそれらに接続された電子回路を含んでもよい。任意選択的に、ＵＶ光制御ユニット１２８は、フィールドプログラマブルゲートアレイ（ＦＰＧＡ）、特定用途向け集積回路（ＡＳＩＣ）、（１以上の）マイクロプロセッサなどの、処理回路を表してもよい。様々な実施例内の回路は、本明細書で説明される機能を実施するために、１以上のアルゴリズムを実行するように構成されてもよい。そのような１以上のアルゴリズムは、フローチャート又は方法において明示的に特定されているか否かに関わらず、本明細書に記載の実施例の諸態様を含み得る。
【００４１】
本明細書で使用される際に、「ソフトウェア」及び「ファームウェア」という用語は、置き換え可能であり、ＲＡＭメモリ、ＲＯＭメモリ、ＥＰＲＯＭメモリ、ＥＥＰＲＯＭメモリ、及び不揮発性ＲＡＭ（ＮＶＲＡＭ）メモリを含む、コンピュータによる実行のためのデータ記憶ユニット（例えば、１以上のメモリ）に記憶される任意のコンピュータプログラムを含む。上記のデータ記憶ユニットのタイプは例示的なものにすぎず、したがって、コンピュータプログラムを記憶するために使用することができるメモリのタイプを限定するものではない。
【００４２】
図２は、本開示の一実施例による、洗面所１０２の内部斜視図を示す。洗面所１０２は、図１に関して示され且つ説明された取り囲まれた空間１０２の一例である。洗面所１０２は、上述されたように、航空機に搭載され得る。任意選択的に、洗面所１０２は、様々な他の輸送体に搭載され得る。他の実施例では、洗面所１０２が、商業建物又は住居建物などの固定された構造物内にあり得る。
【００４３】
洗面所１０２は、便器２００、キャビネット２０２、及びシンク２０４を支持する、床１０４を含む。ＵＶ光アセンブリ１１６は、洗面所１０２内に固定され、消毒サイクルの間に起動され、便器２００、床１０４、キャビネット２０２、及び／又はシンク１０２などの、洗面所１０２内の様々な構造物を、消毒（例えば、殺菌、滅菌、又は洗浄）する。存在センサ１３０が、洗面所１０２の部分に固定され得る。
【００４４】
図２で示されているように、ＵＶ光アセンブリ１１６は、各々が、開口部１２６に連結された（図からは隠されている）それぞれの収容チャンバ内に置かれるように、収容位置で示されている。ＵＶ光アセンブリ１１６の外側壁部分は、開口部１２６内にフィットし、開口部１２６を画定する洗面所１０２の部分と共に、控え目で、面一で、滑らかなインターフェースを提供する。少なくとも１つの他の実施例において、（ばねで付勢されたフラップ、壁部分、パネルなどの）分離した個別のカバー部材は、ＵＶ光アセンブリ１１６が収容位置にあるときに、開口部１２６をカバーし得る。
【００４５】
図３は、本開示の一実施例による、ＵＶ光アセンブリ１１６ａと１１６ｂが収容位置にある、洗面所１０２の内部斜視図を示す。ＵＶ光アセンブリ１１６ａは、シンク２０４を消毒するように構成され、一方、ＵＶ光アセンブリ１１６ｂは、便器２００を消毒するように構成されている。
【００４６】
図１及び図３を参照すると、少なくとも１つの実施例では、ＵＶ光制御ユニット１２８が、便器２００のカバーシート２０８と動作可能に連結されたアクチュエータ２０６と通信する。消毒サイクルが開始された際に、ＵＶ光制御ユニット１２８は、アクチュエータ２０６を操作して、カバーシート２０８を自動的に開く。任意選択的に、ＵＶ光制御ユニット１２８は、消毒サイクルが開始された際に、カバーシート２０８を開かない。
【００４７】
図４は、本開示の一実施例による、ＵＶ光アセンブリ１１６ａと１１６ｂが展開位置にある、洗面所１０２の内部斜視図を示す。図１、図３、及び図４を参照すると、消毒サイクルの間に、ＵＶ光制御ユニット１２８は、ＵＶ光アセンブリ１１６ａと１１６ｂに連結されたアクチュエータ１２０を操作して、ＵＶ光アセンブリ１１６と１１６ｂを、それらのそれぞれの収容チャンバ１２４から出し、それぞれ、シンク２０４と便器２００の近傍の中へ展開させる。示されているように、ＵＶ光アセンブリ１１６ａと１１６ｂは、ＵＶ光アセンブリ１１６ａと１１６ｂの長手方向軸と平行な、直線的な方向Ａにおいて、展開位置の中へ作動される。ＵＶ光アセンブリ１１６ａと１１６ｂは、収容チャンバ１２４から出て直線的に展開位置へ展開される。消毒サイクルが完了した後で、ＵＶ光制御ユニット１２８は、アクチュエータ１２０を制御して、ＵＶ光アセンブリをそれらのそれぞれの収容チャンバ１２４の中へ直線的に格納する。
【００４８】
図５は、本開示の一実施例による、ＵＶ光アセンブリ１１６の側面斜視図を示す。図６は、ＵＶ光アセンブリ１１６の端面斜視図を示す。図７は、ＵＶ光アセンブリ１１６の端面図を示す。図５〜図７を参照すると、発光体１１８は、遠ＵＶ光を放射するように構成されたアーク灯であり得る。アーク灯は、ＥＭＩを生成し得る。ＥＭＩは、航空機に搭載されるものなどの、様々な電気システム及び電子システムと干渉し得る。したがって、ハウジング１１７が、（金属ハウジング又はカバーなどの）ＥＭＩシールド５００を含み、一方、ファラデーケージ５０２が、発光体１１８の周りに固定され得る。ファラデーケージ５０２は、放射されたＵＶ光が通過することを可能にする、開口部を有するワイヤースクリーンを含む。代替的に、ＵＶ光アセンブリ１１６は、ＵＶ光アセンブリ１１６の近傍に、可能であるならば、電子構成要素又は電気構成要素がほとんど存在しない取り囲まれた空間内で、ＵＶ光アセンブリ１１６が使用されるなどの場合に、ＥＭＩシールド及び／又はファラデーケージ５０２を含まなくてもよい。
【００４９】
図３〜図５を参照すると、ＵＶ光アセンブリ１１６は、ＵＶ光アセンブリ１１６の長手方向軸３００と平行な直線的な方向Ａにおいて、展開状態の中へ移動される。ＵＶ光アセンブリ１１６は、長手方向軸３００と平行な反対の直線的な方向Ａ’において、収容状態の中へ戻される。
【００５０】
図８は、本開示の一実施例による、ＵＶ光アセンブリ１１６ａと１１６ｂが展開位置にある、洗面所の内部斜視図を示す。図１、図４、図５、及び図８を参照すると、展開状態で消毒サイクルの間に、ＵＶ光制御ユニット１２８は、シンク２０４と便器２００の上方で放射されたＵＶ光をスイープさせるために、円弧Ｂの方向においてそれらのそれぞれの長手方向軸の周りで、ＵＶ光アセンブリ１１６ａと１１６ｂを（９０度のラジアル円弧を通して回転させるなど）回転させるように、アクチュエータ１２０を操作し得る。
【００５１】
図９は、本開示の一実施例による、ＵＶ光アセンブリ１１６ａと１１６ｂが展開位置にある、洗面所１０２の内部斜視図を示す。図１、図４、図５、及び図９を参照すると、展開状態で消毒サイクルの間に、ＵＶ光制御ユニット１２８は、シンク２０４と便器２００の上方で放射されたＵＶ光を旋回させるために、円弧Ｃの方向においてそれぞれの端部５０４の周りで、ＵＶ光アセンブリ１１６ａと１１６ｂを旋回させるように、アクチュエータ１２０を操作し得る。少なくとも１つの実施例では、ＵＶ光アセンブリ１１６ａと１１６ｂは、図９で示されるように旋回されるのみならず、図８で示されるように回転され得る。
【００５２】
図１０は、本開示の一実施例による、ＵＶ光アセンブリ１１６ａと１１６ｂが収容位置にある、洗面所１０２の内部斜視図を示す。図１１は、ＵＶ光アセンブリ１１６ａと１１６ｂが展開位置にある、洗面所の内部斜視図を示す。図１、図１０、及び図１１を参照すると、ＵＶ光アセンブリ１１６ａと１１６ｂのそれぞれの端部５０４は、収容チャンバ１２４内で旋回可能に固定されている。展開の間に、ＵＶ光制御ユニット１２８は、アクチュエータ１２０を操作して、アクチュエータ１２０と動作可能に連結された端部５０４の垂直な旋回軸の周りで収容チャンバの外側で、ＵＶ光アセンブリ１１６ａと１１６ｂを旋回させる。
【００５３】
図１２は、本開示の一実施例による、ＵＶ光アセンブリ１１６ａと１１６ｂが展開位置にある、洗面所１０２の内部斜視図を示す。示されているように、ＵＶ光アセンブリ１１６ａと１１６ｂは、ヒンジなどであり又はそれを含み得る旋回軸５５０を介して、洗面所１０２と旋回可能に連結され得る。旋回軸５５０は、ＵＶ光アセンブリ１１６ａと１１６ｂの長手方向軸３００と平行である。アクチュエータ１２０は、それらのそれぞれの旋回軸５５０の周りでＵＶ光アセンブリ１１６ａと１１６ｂを旋回させることによって、展開位置の中へＵＶ光アセンブリ１１６ａと１１６ｂを旋回させるように作動される。
【００５４】
図１３は、本開示の一実施例による、航空機６００の上面斜視図を示す。航空機６００には、例えば、２つのターボファンエンジン６１４を含み得る、推進システム６１２が含まれる。任意選択的に、推進システム６１２には、図示したものよりも更に多くのエンジン６１４が含まれ得る。エンジン６１４は、航空機６００の翼６１６によって担持される。他の実施例では、エンジン６１４が、胴体６１８及び／又は尾部６２０によって担持され得る。尾部６２０は、水平尾翼６２２と垂直尾翼６２４も支持し得る。
【００５５】
航空機６００の胴体６１８は内部客室を画定し、内部客室には、操縦室、１以上の作業セクション（例えば、調理室、個人の手荷物領域など）、１以上の乗客セクション（例えば、ファーストクラス、ビジネスクラス、及びエコノミーセクション）、及び後方休憩領域アセンブリが配置され得る後方セクションが含まれ得る。それらのセクションの各々は、１以上のクラス分離アセンブリを含み得る、客室分離領域によって分離され得る。頭上の荷物棚アセンブリが、内部客室の全体を通して配置され得る。内部客室は、例えば、洗面所などの１以上の部屋を含む。（図１に関連して示され説明された）１以上のＵＶ光消毒システム１００が、内部客室内に配置され得る。
【００５６】
代替的に、航空機の代わりに、本開示の実施例が、自動車、バス、機関車及び列車、船舶などの、様々な他の輸送体で使用されてもよい。更に、本開示の実施例は、商業建物及び住居建物などの、固定された構造物に関して使用されてもよい。
【００５７】
図１４は、本開示の一実施例による、航空機の内部客室の上面図を示す。内部客室６３０は、航空機の胴体６３２内にあり得る。例えば、１以上の胴体壁により、内部客室630が画定され得る。内部客室６３０には、前方セクション６３３、ファーストクラスセクション６３４（又はファーストクラススイート、客室など）、ビジネスクラスセクション６３６、前方調理室ステーション６３８、拡張されたエコノミーすなわちコーチセクション６４０、標準のエコノミーすなわちコーチセクション６４２、及び洗面所と調理室ステーションなどの複数の部屋１０２を含み得る、後方セクション６４４を含む、複数のセクションが含まれる。内部客室６３０は、図示したものよりも多い又は少ないセクションを含み得ると理解すべきである。例えば、内部客室６３０には、ファーストクラスセクションが含まれなくてもよく、図示したものよりも多くの又は少ない調理室ステーションが含まれてもよい。それらのセクションの各々は、通路６４８の間のクラス分離アセンブリを含み得る、客室分離領域６４６によって分離され得る。
【００５８】
図１４で示されるように、内部客室６３０は、後方セクション６４４につながっている２つの通路６５０及び６５２を含む。任意選択的に、内部客室６３０は、図示したものよりも少ない又は多い通路を有し得る。例えば、内部客室６３０には、後方セクション６４４につながっている内部客室６３０の中央を通って延在する単一の通路が含まれ得る。
【００５９】
洗面所などの１以上の部屋１０２は、内部客室６３０内に配置され得る。ＵＶ光消毒システム１００は、上述されたような、洗面所１０２内の構造物を消毒するために使用され得る。
【００６０】
図１５は、本開示の一実施例による、航空機の内部客室の上面図を示す。内部客室６８０は、航空機の胴体６８１内にあり得る。例えば、１以上の胴体壁により、内部客室680が画定され得る。内部客室６８０は、乗客席６８３を有する主要な客室６８２、及び主要な客室６８２の後ろの後方セクション６８５を含む、複数のセクションを含む。内部客室６８０は、図示したものよりも多い又は少ないセクションを含み得ると理解すべきである。
【００６１】
内部客室６８０には、後方セクション６８５につながる単一の通路６８４が含まれ得る。単一の通路６８４は、後方セクション６８５につながる内部客室６８０の中央を通って延在し得る。例えば、単一の通路６８４は、内部客室６８０の中央縦断面の同軸上に位置合わせされ得る。
【００６２】
洗面所などの１以上の部屋１０２は、内部客室６８０内に配置され得る。ＵＶ光消毒システム１００は、上述されたような、洗面所１０２内の構造物を消毒するために使用され得る。
【００６３】
本開示の一実施例による、取り囲まれた空間内の１以上の表面を消毒する方法のフローチャートを示す。図１及び図１６を参照すると、該方法は７００で開始し、存在センサ１３０から存在信号を受信し並びに／又はドア１１０及び／若しくは錠１１２からロック信号を受信する、ＵＶ光制御ユニットなどによって、取り囲まれた空間１０２が監視される。
【００６４】
７０２において、ＵＶ光制御ユニット１２８は、取り囲まれた空間１０２内に個人が存在するか否かを判定する。個人が存在するならば、該方法は、７０４へ進み、ＵＶ光制御ユニット１２８が消毒サイクル７０４を開始することを差し控える。その後、該方法は７００へ戻る。
【００６５】
しかし、ＵＶ光制御ユニット１２８が、取り囲まれた空間１０２内に個人が存在しないと判定したならば、該方法は、７０６へ進み、ＵＶ光制御ユニット１２８は、取り囲まれた空間が以前の消毒サイクル７０６の後で使用されたか否かを判定する。例えば、ＵＶ光制御ユニット１２８は、存在センサ１３０、ドア１１０、及び／又は錠１１２から受信された信号が、以前の消毒サイクルの後で取り囲まれた空間１０２に誰も入っていないことを示すならば、取り囲まれた空間１０２が使用されなかったと判定し得る。ＵＶ光制御ユニット１２８が、以前の消毒サイクルの後で取り囲まれた空間が使用されなかったと判定したならば、該方法は、７０４へ戻る。
【００６６】
しかし、ＵＶ光制御ユニット１２８が、以前の消毒サイクルの後で取り囲まれた空間１０２が使用されたと判定したならば、該方法は、７０６から７０８へ進み、ＵＶ光制御ユニット１２８は、アクチュエータ１２０を操作して、ＵＶ光アセンブリ１１６を展開位置へ展開させ、それによって、消毒サイクルを開始する。次に、７１０では、ＵＶ光制御ユニット１２８が、ＵＶ発光体１１８を操作して、取り囲まれた空間１０２内の表面へＵＶ光を放射する。７１２では、ＵＶ光制御ユニット１２８が、アクチュエータ１２０を操作して、放射されたＵＶ光が表面の別の領域へ移動されるように、ＵＶ発光体を移動させ得る。任意選択的に、該方法は、７１２を含まなくてもよい。（最初の展開からＵＶ光の放射の全体を通して）消毒サイクルの間の何時でも、ＵＶ光制御ユニット１２８が、取り囲まれた空間１０２に個人が入ったと判定したならば、ＵＶ光制御ユニット１２８は、ＵＶ光アセンブリ１１６を制御して、ＵＶ光の放射を直ちに止め、アクチュエータ１２０を操作して、ＵＶ光アセンブリ１１６を収容位置へ戻し得る。
【００６７】
７１４では、ＵＶ制御ユニット１２８が、消毒サイクルが完了したか否かを判定する。消毒サイクルが完了していなければ、該方法は７１０へ戻る。しかし、消毒サイクルが完了したならば、該方法は、７１４から７１６へ進み、ＵＶ光制御ユニット１２８が、ＵＶ光アセンブリ１１６を制御して、ＵＶ発光体１１８を起動解除する。その後、７１８では、ＵＶ光制御ユニット１２８が、アクチュエータ１２０を操作して、ＵＶ光アセンブリ１１６を収容チャンバ１２４内の収容位置へ戻す又はさもなければそこへ移動させる。その後、該方法は７００へ戻る。
【００６８】
更に、本開示は下記の条項に係る実施例を含む。
条項１
取り囲まれた空間内の少なくとも１つの表面を消毒するように構成された紫外線（ＵＶ）光消毒システム（１００）であって、
収容位置と展開位置との間で選択的に移動可能なＵＶ光アセンブリ（１１６）であって、前記収容位置では、前記取り囲まれた空間に連結された収容チャンバ内に収容され、前記展開位置では、前記収容チャンバから出て前記取り囲まれた空間の中へ展開される、ＵＶ光アセンブリ（１１６）を備える、ＵＶ光消毒システム（１００）。
条項２
前記ＵＶ光アセンブリ（１１６）が、前記収容位置よりも前記展開位置で前記少なくとも１つの表面に近い、条項１に記載のＵＶ光消毒システム（１００）。
条項３
前記ＵＶ光アセンブリ（１１６）が、前記取り囲まれた空間が個人によって使用されているときに、前記収容位置にあるままである、条項１に記載のＵＶ光消毒システム（１００）。
条項４
前記ＵＶ光アセンブリ（１１６）が、
ハウジング（１１７）、
前記ハウジング（１１７）の少なくとも一部分を取り囲むシールド（５００）であって、電磁干渉を遮断するように構成された、シールド（５００）、
ＵＶ発光体（１１８）、及び
前記ＵＶ発光体（１１８）の少なくとも一部分を取り囲むケージ（５０２）を備える、条項１に記載のＵＶ光消毒システム（１００）。
条項５
前記ＵＶ光アセンブリ（１１６）と動作可能に連結されたアクチュエータ（１２０）であって、前記収容位置と前記展開位置との間で前記ＵＶ光アセンブリ（１１６）を移動させるように構成された、アクチュエータ（１２０）を更に備える、条項１に記載のＵＶ光消毒システム。
条項６
前記ＵＶ光アセンブリ（１１６）と通信するＵＶ光制御ユニット（１２８）であって、前記収容位置と前記展開位置との間での前記ＵＶ光アセンブリ（１１６）の動きを制御するように構成され、前記ＵＶ光アセンブリ（１１６）が前記少なくとも１つの表面へ消毒ＵＶ光を放射する消毒サイクルの間に、前記ＵＶ光アセンブリ（１１６）を操作するように構成された、ＵＶ光制御ユニット（１２８）を更に備える、条項１に記載のＵＶ光消毒システム（１００）。
条項７
前記取り囲まれた空間内の１以上の存在センサ（１３０）であって、前記取り囲まれた空間内の個人の存在を検出するように構成された、存在センサ（１３０）を更に備える、条項１に記載のＵＶ光消毒システム（１００）。
条項８
前記ＵＶ光アセンブリ（１１６）が、前記展開位置と前記収容位置との間で直線的に移動される、条項１に記載のＵＶ光消毒システム（１００）。
条項９
前記ＵＶ光アセンブリ（１１６）が、前記展開位置と前記収容位置との間で回転可能又は旋回可能に移動される、条項１に記載のＵＶ光消毒システム（１００）。
条項１０
前記ＵＶ光アセンブリ（１１６）が、消毒サイクルの間に前記展開位置で、長手方向軸の周りで回転可能に移動される、条項１に記載のＵＶ光消毒システム（１００）。
条項１１
前記ＵＶ光アセンブリ（１１６）が、消毒サイクルの間に前記展開位置で、端部の周りで旋回可能に移動される、条項１に記載のＵＶ光消毒システム（１００）。
条項１２
取り囲まれた空間内の少なくとも１つの表面を消毒するように構成された紫外線（ＵＶ）光消毒方法であって、
収容位置と展開位置との間でＵＶ光アセンブリ（１１６）を選択的に移動させることであって、前記収容位置では、前記取り囲まれた空間に連結された収容チャンバ（１２４）内に前記ＵＶ光アセンブリ（１１６）を収容すること、及び、前記展開位置では、前記ＵＶ光アセンブリ（１１６）を、前記収容チャンバ（１２４）から出して前記取り囲まれた空間の中へ展開させることを含む、移動させることを含む、ＵＶ光消毒方法。
条項１３
前記展開させることが、前記収容位置よりも前記展開位置で、前記ＵＶ光アセンブリ（１１６）が前記少なくとも１つの表面と近くなるように移動させることを含む、条項１２に記載のＵＶ光消毒方法。
条項１４
前記取り囲まれた空間が個人によって使用されているときに、前記ＵＶ光アセンブリ（１１６）を、前記収容位置に維持することを更に含む、条項１２に記載のＵＶ光消毒方法。
条項１５
前記ＵＶ光アセンブリ（１１６）のハウジング（１１７）の少なくとも一部分を取り囲むシールド（５００）を用いて、前記ＵＶ光アセンブリ（１１６）のＵＶ発光体（１１８）によって生成される電磁干渉を遮断すること、及び
前記ＵＶ発光体（１１８）の少なくとも一部分を取り囲むケージ（５０２）を通して、前記ＵＶ発光体（１１８）から消毒ＵＶ光を放射することを更に含む、条項１２に記載のＵＶ光消毒方法。
条項１６
前記ＵＶ光アセンブリ（１１６）と動作可能に連結されたアクチュエータ（１２０）を使用して、前記収容位置と前記展開位置との間で、前記ＵＶ光アセンブリ（１１６）を移動させることを更に含む、条項１２に記載のＵＶ光消毒方法。
条項１７
ＵＶ光制御ユニット（１２８）を前記ＵＶ光アセンブリ（１１６）と通信可能に接続すること、
前記ＵＶ光制御ユニット（１２８）を用いて、前記ＵＶ光アセンブリ（１１６）の動きを制御すること、及び
消毒サイクルの間に、前記ＵＶ光制御ユニット（１２８）を介して、前記ＵＶ光アセンブリ（１１６）を操作し、前記少なくとも１つの表面に消毒ＵＶ光を放射することを更に含む、条項１２に記載のＵＶ光消毒方法。
条項１８
前記選択的に移動させることが、前記展開位置と前記収容位置との間で、直線的に、旋回可能に、又は回転可能に、前記ＵＶ光アセンブリ（１１６）を選択的に移動させることを含む、条項１２に記載のＵＶ光消毒方法。
条項１９
前記ＵＶ光アセンブリ（１１６）が、消毒サイクルの間に前記展開位置で、長手方向軸の周りで回転可能に移動され、又は端部の周りで旋回可能に移動される、条項１２に記載のＵＶ光消毒方法。
条項２０
内部客室（６３０）、
前記内部客室（６３０）内の洗面所（１０２）であって、便器（２００）及びシンク（２０４）を支持する床（１０４）を備えた、洗面所（１０２）、並びに
前記床（１０４）、前記便器（２００）、又は前記シンク（２０４）のうちの少なくとも１つの表面を消毒するように構成された少なくとも１つの紫外線（ＵＶ）光消毒システム（１００）を備えた、航空機（６００）であって、前記少なくとも１つのＵＶ光消毒システム（１００）が、
収容位置と展開位置との間で選択的に移動可能なＵＶ光アセンブリ（１１６）であって、前記収容位置では、前記洗面所（１０２）に連結された収容チャンバ（１２４）内に収容され、前記展開位置では、前記収容チャンバ（１２４）を出て前記洗面所（１０２）の中へ展開され、前記収容位置よりも前記展開位置で前記少なくとも１つの表面に近く、前記展開位置と前記収容位置との間で直線的に又は回転可能に移動され、（ａ）ハウジング（１１７）、（ｂ）前記ハウジング（１１７）の少なくとも一部分を取り囲み且つ電磁干渉を遮断するように構成されたシールド（５００）、（ｃ）ＵＶ発光体（１１８）、及び（ｄ）前記ＵＶ発光体（１１８）の少なくとも一部分を取り囲むケージ（５０２）を備えた、ＵＶ光アセンブリ（１１６）、
前記ＵＶ光アセンブリ（１１６）と動作可能に連結されたアクチュエータ（１２０）であって、前記収容位置と前記展開位置との間で前記ＵＶ光アセンブリ（１１６）を移動させるように構成された、アクチュエータ（１２０）、
前記ＵＶ光アセンブリ（１１６）と通信するＵＶ光制御ユニット（１２８）であって、前記収容位置と前記展開位置との間での前記ＵＶ光アセンブリ（１１６）の動きを制御するように構成され、前記ＵＶ光アセンブリ（１１６）が前記少なくとも１つの表面に消毒ＵＶ光を放射する消毒サイクルの間に、前記ＵＶ光アセンブリ（１１６）を操作するように構成され、前記ＵＶ光アセンブリ（１１６）が、前記消毒サイクルの間に前記展開位置で、長手方向軸の周りで回転可能に移動され、又は端部の周りで旋回可能に移動される、ＵＶ光制御ユニット（１２８）、並びに
前記洗面所（１０２）内にあり前記ＵＶ光制御ユニット（１２８）と通信する１以上の存在センサ（１３０）であって、前記洗面所（１０２）内の個人の存在を検出するように構成され、前記洗面所（１０２）が個人によって使用されているときに、前記ＵＶ光制御ユニット（１２８）が、前記ＵＶ光アセンブリ（１１６）を前記収容位置に維持する、存在センサ（１３０）を備える、航空機（６００）。
【００６９】
上述されたように、本開示の実施例では、民間航空機に搭載された洗面所などの、取り囲まれた空間内の様々な表面を効率的且つ効果的に消毒するためのシステム及び方法が提供される。本開示の実施例は、ＵＶ光アセンブリを操作して、構成要素の使用と干渉することなしに、（航空機の洗面所内の便器などの）構成要素を消毒するためのシステム及び方法を提供する。
【００７０】
本開示の実施例の説明のために、上部、底部、下方、中央、横方向、水平、垂直、前方などの空間及び方向に関する様々な語が用いられているが、そのような語は図面で示す方向に対するものとして用いられているにすぎないことを理解されたい。向きを、反転させる、回転させる、又はそうでなければ、上部が下部に、また下部が上部になるように、また水平が垂直になるように変化させることができる。
【００７１】
本明細書で使用する、作業又は工程を実施する「ように構成される」構造、限定事項、又は要素は、特に作業又は工程に対応する方法で構造的に形成、構成、又は適合されている。明確さのため、及び誤解を避けるために、作業又は工程を実施するために変更可能であるに過ぎない対象物は、本明細書で使用する作業又は工程を実施する「ように構成」されてはいない。
【００７２】
上記の説明は、限定ではなく例示を意図するものであることを理解されたい。例えば、上述の実施例（及び／又はそれらの態様）は、互いに組み合わせて使用され得る。加えて、本開示の様々な実施例の範囲から逸脱することなく、特定の状況又は材料に適応させるために、様々な実施例の教示に多数の改変を加え得る。本明細書に記載の材料の形状寸法及びタイプは、本開示の様々な実施例のパラメータを規定することを意図しており、これらの実施例は限定的なものではなく例示的な実施例である。本発明を精査することにより、当業者には他の多くの実施例が明らかであろう。本開示の様々な実施例の範囲は、添付の特許請求の範囲、並びに、かかる特許請求の範囲が認められる均等物の全範囲を参照して、決定されるべきである。添付の特許請求の範囲において、「含む（ｉｎｃｌｕｄｉｎｇ）」及び「そこにおいて（ｉｎ  ｗｈｉｃｈ）という用語は、それぞれ、「備える（ｃｏｍｐｒｉｓｉｎｇ）」及び「そこで（ｗｈｅｒｅｉｎ）」という用語の、明白な同義語として使用される。また、「第１」、「第２」、及び「第３」等の用語は単に符号として使用され、それらの対象物に数的要件を課すことを意図するものではない。更に、以下の特許請求の範囲の限定は、ミーンズ・プラス・ファンクション書式で記述されておらず、かかる特許請求の範囲の限定が、更なる構造のない機能の記述が後続する「のための手段（ｍｅａｎｓ  ｆｏｒ）」という言い回しを明示的に使用しない限り、米国特許法第１１２条、段落（ｆ）、３５に基づいて解釈されることを意図するものではない。
【００７３】
ここに記載した説明では、ベストモードを含む本開示の様々な実施例を開示し、且つ当業者が任意のデバイス又はシステムの作成及び使用、並びに組込まれた任意の方法の実行を含め、本開示の様々な実施例を実施することを可能にするために実施例を使用している。本開示の様々な実施例の特許性の範囲は、特許請求の範囲によって画定され、当業者が想起する他の実施例を含み得る。かかる他の実施例は、実施例が特許請求の範囲の文言と相違しない構造要素を有する場合、又は、実施例が、特許請求の範囲の文言とごくわずかな相違しかない同等の構造要素を含む場合、特許請求の範囲内であることが意図される。
【図１】
2018069028.tif 000003
【図２】
2018069028.tif 000004
【図３】
2018069028.tif 000005
【図４】
2018069028.tif 000006
【図５】
2018069028.tif 000007
【図６】
2018069028.tif 000008
【図７】
2018069028.tif 000009
【図８】
2018069028.tif 000010
【図９】
2018069028.tif 000011
【図１０】
2018069028.tif 000012
【図１１】
2018069028.tif 000013
【図１２】
2018069028.tif 000014
【図１３】
2018069028.tif 000015
【図１４】
2018069028.tif 000016
【図１５】
2018069028.tif 000017
【図１６】
2018069028.tif 000018
【外国語明細書】
2018069028000001.pdf
2018069028000002.pdf
2018069028000003.pdf
2018069028000004.pdf